(57)【要約】【課題】本発明は食品用防湿袋を開示した。【解決手段】本発明は食品用防湿袋を公示し、本体を含み、前記本体が左右の二つに区分され、前記本体の中には挟み装置が設けられ、前記挟み装置の内側には乾燥装置が設けられ、前記乾燥装置の上側には密封装置が設けられ、前記本体の下側には包装袋が設けられ、前記挟み装置は前記包装袋の上端の左右両側をきつく挟み、前記密封装置は前記包装袋の上側を密封し、前記被動プーリのうち前記昇降チャンバから離れている一側には駆動プーリが設けられ、前記被動プーリと前記駆動プーリとの間には伝動ベルトが周設されていて、前記昇降板は前記包装袋まで下がり、前記乾燥チャンバの中の乾燥剤により乾燥を行う。【選択図】図１
2020179933.tif 000002
【特許請求の範囲】
【請求項１】
正面視で、食品用防湿袋であり、本体を含み、前記本体が左右の二つに区分され、前記本体の中には挟み装置が設けられ、前記挟み装置の内側には乾燥装置が設けられ、前記乾燥装置の上側には密封装置が設けられ、前記本体の下側には包装袋が設けられ、前記挟み装置は前記包装袋の上端の左右両側をきつく挟み、前記密封装置は前記包装袋の上側を密封し、前記乾燥装置は前記包装袋の内部を乾燥剤で乾燥し、前記密封装置の中の密封板の反対方向への運動は前記乾燥装置の中の昇降板を連動させて前記包装袋の内に下降させることができ、前記昇降板の中には乾燥剤があり、前記挟み装置は前記本体の中に設けられる揺りロッドチャンバを含み、前記揺りロッドチャンバの中には揺りロッドが左右に対称的に設けられ、両側の前記揺りロッドのうち互いに離れている側の端面の下端には回転軸がそれぞれ固定的に連結され、一側の前記回転軸の一端は外部に延びており、且つつまみと固定的に連結され、両側の前記揺りロッドの間にはコンロッドがヒンジで連結され、前記コンロッドの下端には昇降ブロックがヒンジで連結され、前記揺りロッドチャンバの下壁の中の左右両側にはレバーチャンバが対称的に連通して設けられ、前記レバーチャンバの中にはレバーが回転できるように設けられ、前記レバーの下端には挟み板がヒンジで連結され、前記レバーチャンバの間には下に開口した挟みチャンバが連通して設けられ、左右両側の前記挟みチャンバの前後側にはそれぞれ下に開口した前後に対称的な折返チャンバが連通して設けられ、左右両側の前記折返チャンバは相対に開口しており、前記折返チャンバのうち前記挟みチャンバから離れている一側の内壁の中には回転ロッドチャンバが連通して設けられ、前記回転ロッドチャンバの中には翻転ロッドが翻転できるように設けられ、左右両側の前記翻転ロッドの間は回転できるように連結され、前記翻転ロッドのヒンジで連結されたところの内部端面には接着ブロックが固定的に設けられ、
前記包装袋の上端の左右両端は前記挟みチャンバの中に伸びて前記挟み板によってきつく挟むことができ、前記包装袋の前後両端は前記折返チャンバの中に伸びて前記接着ブロックに固定することができることを特徴とする食品用防湿袋。
【請求項２】
前記乾燥装置には前記揺りロッドチャンバのうち中心に近接している一側壁の中にに設けられている下に開口した昇降チャンバが含まれ、前記昇降板が前記昇降チャンバの中にスライドできるように設けられ、前記昇降板の中には乾燥チャンバが左右を貫通して設けられ、前記乾燥チャンバの中には濾過板が左右に対称的且つ固定的に設けられ、前記昇降板の中において前後両端には上に開口したねじ山チャンバが設けられ、前記ねじ山チャンバの中にはボルトがねじ山によって連結され、前記昇降チャンバの上側にはプーリチャンバが前後に対称的に設けられ、前記ボルトの上端は前記プーリチャンバの内に延びていて被動プーリと固定的に連結され、前記被動プーリのうち前記昇降チャンバから離れている一側には駆動プーリが設けられ、前記被動プーリと前記駆動プーリとの間には伝動ベルトが周設されていて、前記昇降板は前記包装袋まで下がり、前記乾燥チャンバの中の乾燥剤により乾燥を行うことを特徴とする請求項１に記載の食品用防湿袋。
【請求項３】
前記密封装置には前記昇降チャンバの上側に設けられ且つ相対に開口した密封チャンバが含まれ、前記密封チャンバのうち中心から離れている一側にはスライド板チャンバが連通して設けられ、左側の前記スライド板チャンバが前記密封チャンバのうち上側壁に近接している左壁の中に連通して設けられ、右側の前記スライド板チャンバが前記密封チャンバのうち下側壁に近接している右壁に連通して設けられ、前記密封板が前記スライド板チャンバの中にスライドできるように設けられ、且つ左右両側の前記密封板が上下にずれて設けられ、前記密封板の前後端面の中にはラックが対称的且つ固定的に設けられ、前記密封チャンバの前後壁には歯車チャンバが対称的に連通して設けられ、前記歯車チャンバの中には前記ラックと噛み合える歯車が設けられ、前記歯車の下端には伝動軸が固定的に連結され、前記伝動軸の下端が前記駆動プーリに固定的に連結され、前記密封板の中には上に開口したプルロッドチャンバが設けられ、前記プルロッドチャンバの中にはプルロッドがスライドできるように設けられ、前記プルロッドチャンバの一側内壁の中には位置制限チャンバが連通して設けられ、前記プルロッドの一端には前記位置制限チャンバの内壁とスライドできるように連結される位置制限ブロックが固定的に連結され、前記位置制限ブロックの上端と前記位置制限チャンバの上壁との間には復帰ばねが固定的に連結され、前記位置制限ブロックの下端には引き線が固定的に連結され、前記スライド板チャンバの上壁にはガイドスライドチャンバが連通して設けられ、前記プルロッドの上端は前記ガイドスライドチャンバを貫通して外部に伸びており且つプッシュプル板と固定的に連結さ、
一側の前記密封板は反対側の前記密封チャンバの中に向かい合ってスライドし、この時点で密封してロックし、プッシュプル板を引き上げてロックを解除することを特徴とする請求項１に記載の食品用防湿袋。
【請求項４】
前記密封板の中には引掛り溝が設けられ、左側の前記引掛り溝は下向きに開口し、右側の前記引掛り溝は上に開口し、前記密封板の中には同じ側の前記引掛り溝と同じ方向に開口した引掛りブロックチャンバが設けられ、前記引掛りブロックチャンバの中には引掛りブロックがスライドできるように設けられ、前記引掛りブロックと前記引掛りブロックチャンバとの間には引張りばねが固定的に連結され、左側の前記引き線が左側の前記引掛りブロックの上端に固定的に連結され、右側の前記引き線が右側の前記引掛りブロックの下端に固定的に連結され、
左側の前記引掛りブロックは右側の前記引掛り溝の中に引っかかり、右側の前記引掛りブロックは左側の前記引掛り溝の中に引っかかってロックすることを特徴とする請求項３に記載の食品用防湿袋。
【発明の詳細な説明】
【技術分野】
【０００１】
本発明は食品包装技術分野を取り上げて、具体的には食品用防湿袋である。
【背景技術】
【０００２】
食品を包装した後、密封して乾燥剤を入れて乾燥を行い、しかし、開封後に袋を再封することは困難であり、さらに、乾燥剤の乾燥効果は理想的ではなく、長期放置の後また湿気にあたり、そのため、食品用防湿袋が実に必要とされており、本装置は二重層密封の方式を採用し、同時に、上封じ口に乾燥剤を入れ、バッグの中に水が漏れるとすぐに吸収できる。
【先行技術文献】
【特許文献】
【０００３】
【特許文献１】中国特許出願公開第105883166号明細書
【発明の概要】
【発明が解決しようとする課題】
【０００４】
本発明は食品用防湿袋を提供し、既存技術にある上記の欠点を解消することを目的とする。
【課題を解決するための手段】
【０００５】
本発明の食品用防湿袋は、本体を含み、前記本体が左右の二つに区分され、前記本体の中には挟み装置が設けられ、前記挟み装置の内側には乾燥装置が設けられ、前記乾燥装置の上側には密封装置が設けられ、前記本体の下側には包装袋が設けられ、前記挟み装置は前記包装袋の上端の左右両側をきつく挟み、前記密封装置は前記包装袋の上側を密封し、前記乾燥装置は前記包装袋の内部を乾燥剤で乾燥し、前記密封装置の中の密封板の反対方向への運動は前記乾燥装置の中の昇降板を連動させて前記包装袋の内に下降させることができ、前記昇降板の中には乾燥剤があり、前記挟み装置は前記本体の中に設けられる揺りロッドチャンバを含み、前記揺りロッドチャンバの中には揺りロッドが左右に対称的に設けられ、両側の前記揺りロッドのうち互いに離れている側の端面の下端には回転軸がそれぞれ固定的に連結され、一側の前記回転軸の一端は外部に延びており、且つつまみと固定的に連結され、両側の前記揺りロッドの間にはコンロッドがヒンジで連結され、前記コンロッドの下端には昇降ブロックがヒンジで連結され、前記揺りロッドチャンバの下壁の中の左右両側にはレバーチャンバが対称的に連通して設けられ、前記レバーチャンバの中にはレバーが回転できるように設けられ、前記レバーの下端には挟み板がヒンジで連結され、前記レバーチャンバの間には下に開口した挟みチャンバが連通して設けられ、左右両側の前記挟みチャンバの前後側にはそれぞれ下に開口した前後に対称的な折返チャンバが連通して設けられ、左右両側の前記折返チャンバは相対に開口しており、前記折返チャンバのうち前記挟みチャンバから離れている一側の内壁の中には回転ロッドチャンバが連通して設けられ、前記回転ロッドチャンバの中には翻転ロッドが翻転できるように設けられ、左右両側の前記翻転ロッドの間は回転できるように連結され、前記翻転ロッドのヒンジで連結されたところの内部端面には接着ブロックが固定的に設けられ、
前記包装袋の上端の左右両端は前記挟みチャンバの中に伸びて前記挟み板によってきつく挟むことができ、前記包装袋の前後両端は前記折返チャンバの中に伸びて前記接着ブロックに固定することができる。
【０００６】
有益的には、前記乾燥装置には前記揺りロッドチャンバのうち中心に近接している一側壁の中にに設けられている下に開口した昇降チャンバが含まれ、前記昇降板が前記昇降チャンバの中にスライドできるように設けられ、前記昇降板の中には乾燥チャンバが左右を貫通して設けられ、前記乾燥チャンバの中には濾過板が左右に対称的且つ固定的に設けられ、前記昇降板の中において前後両端には上に開口したねじ山チャンバが設けられ、前記ねじ山チャンバの中にはボルトがねじ山によって連結され、前記昇降チャンバの上側にはプーリチャンバが前後に対称的に設けられ、前記ボルトの上端は前記プーリチャンバの内に延びていて被動プーリと固定的に連結され、前記被動プーリのうち前記昇降チャンバから離れている一側には駆動プーリが設けられ、前記被動プーリと前記駆動プーリとの間には伝動ベルトが周設されていて、前記昇降板は前記包装袋まで下がり、前記乾燥チャンバの中の乾燥剤により乾燥を行う。
【０００７】
有益的には、前記密封装置には前記昇降チャンバの上側に設けられ且つ相対に開口した密封チャンバが含まれ、前記密封チャンバのうち中心から離れている一側にはスライド板チャンバが連通して設けられ、左側の前記スライド板チャンバが前記密封チャンバのうち上側壁に近接している左壁の中に連通して設けられ、右側の前記スライド板チャンバが前記密封チャンバのうち下側壁に近接している右壁に連通して設けられ、前記密封板が前記スライド板チャンバの中にスライドできるように設けられ、且つ左右両側の前記密封板が上下にずれて設けられ、前記密封板の前後端面の中にはラックが対称的且つ固定的に設けられ、前記密封チャンバの前後壁には歯車チャンバが対称的に連通して設けられ、前記歯車チャンバの中には前記ラックと噛み合える歯車が設けられ、前記歯車の下端には伝動軸が固定的に連結され、前記伝動軸の下端が前記駆動プーリに固定的に連結され、前記密封板の中には上に開口したプルロッドチャンバが設けられ、前記プルロッドチャンバの中にはプルロッドがスライドできるように設けられ、前記プルロッドチャンバの一側内壁の中には位置制限チャンバが連通して設けられ、前記プルロッドの一端には前記位置制限チャンバの内壁とスライドできるように連結される位置制限ブロックが固定的に連結され、前記位置制限ブロックの上端と前記位置制限チャンバの上壁との間には復帰ばねが固定的に連結され、前記位置制限ブロックの下端には引き線が固定的に連結され、前記スライド板チャンバの上壁にはガイドスライドチャンバが連通して設けられ、前記プルロッドの上端は前記ガイドスライドチャンバを貫通して外部に伸びており且つプッシュプル板と固定的に連結され、
一側の前記密封板は反対側の前記密封チャンバの中に向かい合ってスライドし、この時点で密封してロックし、プッシュプル板を引き上げてロックを解除する。
【０００８】
有益的には、前記密封板の中には引掛り溝が設けられ、左側の前記引掛り溝は下向きに開口し、右側の前記引掛り溝は上に開口し、前記密封板の中には同じ側の前記引掛り溝と同じ方向に開口した引掛りブロックチャンバが設けられ、前記引掛りブロックチャンバの中には引掛りブロックがスライドできるように設けられ、前記引掛りブロックと前記引掛りブロックチャンバとの間には引張りばねが固定的に連結され、左側の前記引き線が左側の前記引掛りブロックの上端に固定的に連結され、右側の前記引き線が右側の前記引掛りブロックの下端に固定的に連結され、
左側の前記引掛りブロックは右側の前記引掛り溝の中に引っかかり、右側の前記引掛りブロックは左側の前記引掛り溝の中に引っかかってロックする。
【発明の効果】
【０００９】
本発明の有益な効果は：本発明は構造が簡単で、操作が便利で、本装置によって食品を貯蔵するとき、密封する同時に乾燥することができ、何度も開閉して密封することができ、同時に、包装袋を外すことができ、洗浄又は取替えができる。
【図面の簡単な説明】
【００１０】
下記に図1〜５をあわせて本発明について詳しく説明し、便利に説明するために、下記の方向を以下のように規定する：図１は本発明装置の正面図であり、以下に述べる上下左右前後の方向と図1の自身投影関係の上下左右前後の方向とが一致である。
【００１１】
【図１】図１は本発明の食品用防湿袋の内部全体構成略図
【図２】図２は図１におけるＡの拡大略図
【図３】図３は図２におけるＢ−Ｂ方向からの構成略図
【図４】図４は図２におけるＣの拡大略図
【図５】図５は図１におけるＥ−Ｅ方向からの構成略図
【発明を実施するための形態】
【００１２】
下記に図１〜５を合わせて本発明を詳しく説明する。
【００１３】
図１〜５を参照し、本発明の実施例の食品用防湿袋は、本体１１を含み、前記本体１１が左右の二つに区分され、前記本体１１の中には挟み装置１０１が設けられ、前記挟み装置１０１の内側には乾燥装置１０２が設けられ、前記乾燥装置１０２の上側には密封装置１０３が設けられ、前記本体１１の下側には包装袋１２が設けられ、前記挟み装置１０１は前記包装袋１２の上端の左右両側をきつく挟み、前記密封装置１０３は前記包装袋１２の上側を密封し、前記乾燥装置１０２は前記包装袋１２の内部を乾燥剤で乾燥し、前記密封装置１０３の中の密封板１３の反対方向への運動は前記乾燥装置１０２の中の昇降板１４を連動させて前記包装袋１２の内に下降させることができ、前記昇降板１４の中には乾燥剤があり、前記挟み装置１０１は前記本体１１の中に設けられる揺りロッドチャンバ１５を含み、前記揺りロッドチャンバ１５の中には揺りロッド１６が左右に対称的に設けられ、両側の前記揺りロッド１６のうち互いに離れている側の端面の下端には回転軸１７がそれぞれ固定的に連結され、一側の前記回転軸１７の一端は外部に延びており、且つつまみ１８と固定的に連結され、両側の前記揺りロッド１６の間にはコンロッド１９がヒンジで連結され、前記コンロッド１９の下端には昇降ブロック２０がヒンジで連結され、前記揺りロッドチャンバ１５の下壁の中の左右両側にはレバーチャンバ２１が対称的に連通して設けられ、前記レバーチャンバ２１の中にはレバー２２が回転できるように設けられ、前記レバー２２の下端には挟み板２３がヒンジで連結され、前記レバーチャンバ２１の間には下に開口した挟みチャンバ２４が連通して設けられ、左右両側の前記挟みチャンバ２４の前後側にはそれぞれ下に開口した前後に対称的な折返チャンバ２５が連通して設けられ、左右両側の前記折返チャンバ２５は相対に開口しており、前記折返チャンバ２５のうち前記挟みチャンバ２４から離れている一側の内壁の中には回転ロッドチャンバ２６が連通して設けられ、前記回転ロッドチャンバ２６の中には翻転ロッド２７が翻転できるように設けられ、左右両側の前記翻転ロッド２７の間は回転できるように連結され、前記翻転ロッド２７のヒンジで連結されたところの内部端面には接着ブロック６０が固定的に設けられ、
前記包装袋１２の上端の左右両端は前記挟みチャンバ２４の中に伸びて前記挟み板２３によってきつく挟むことができ、前記包装袋１２の前後両端は前記折返チャンバ２５の中に伸びて前記接着ブロック６０に固定することができる。
【００１４】
有益的には、前記乾燥装置１０２には前記揺りロッドチャンバ１５のうち中心に近接している一側壁の中にに設けられている下に開口した昇降チャンバ２８が含まれ、前記昇降板１４が前記昇降チャンバ２８の中にスライドできるように設けられ、前記昇降板１４の中には乾燥チャンバ２９が左右を貫通して設けられ、前記乾燥チャンバ２９の中には濾過板３０が左右に対称的且つ固定的に設けられ、前記昇降板１４の中において前後両端には上に開口したねじ山チャンバ３１が設けられ、前記ねじ山チャンバ３１の中にはボルト３２がねじ山によって連結され、前記昇降チャンバ２８の上側にはプーリチャンバ３３が前後に対称的に設けられ、前記ボルト３２の上端は前記プーリチャンバ３３の内に延びていて被動プーリ３４と固定的に連結され、前記被動プーリ３４のうち前記昇降チャンバ２８から離れている一側には駆動プーリ３５が設けられ、前記被動プーリ３４と前記駆動プーリ３５との間には伝動ベルト３６が周設され、
前記昇降板１４は前記包装袋１２まで下がり、前記乾燥チャンバ２９の中の乾燥剤により乾燥を行う。
【００１５】
有益的には、前記密封装置１０３には前記昇降チャンバ２８の上側に設けられ且つ相対に開口した密封チャンバ３７が含まれ、前記密封チャンバ３７のうち中心から離れている一側にはスライド板チャンバ３８が連通して設けられ、左側の前記スライド板チャンバ３８が前記密封チャンバ３７のうち上側壁に近接している左壁の中に連通して設けられ、右側の前記スライド板チャンバ３８が前記密封チャンバ３７のうち下側壁に近接している右壁に連通して設けられ、前記密封板１３が前記スライド板チャンバ３８の中にスライドできるように設けられ、且つ左右両側の前記密封板１３が上下にずれて設けられ、前記密封板１３の前後端面の中にはラック５４が対称的且つ固定的に設けられ、前記密封チャンバ３７の前後壁には歯車チャンバ３９が対称的に連通して設けられ、前記歯車チャンバ３９の中には前記ラック３８と噛み合える歯車４０が設けられ、前記歯車４０の下端には伝動軸４１が固定的に連結され、前記伝動軸４１の下端が前記駆動プーリ３５に固定的に連結され、前記密封板１３の中には上に開口したプルロッドチャンバ４２が設けられ、前記プルロッドチャンバ４２の中にはプルロッド４３がスライドできるように設けられ、前記プルロッドチャンバ４２の一側内壁の中には位置制限チャンバ４４が連通して設けられ、前記プルロッド４３の一端には前記位置制限チャンバ４４の内壁とスライドできるように連結される位置制限ブロック４５が固定的に連結され、前記位置制限ブロック４５の上端と前記位置制限チャンバ４４の上壁との間には復帰ばね４６が固定的に連結され、前記位置制限ブロック４５の下端には引き線４７が固定的に連結され、前記スライド板チャンバ５４の上壁にはガイドスライドチャンバ４８が連通して設けられ、前記プルロッド４３の上端は前記ガイドスライドチャンバ４８を貫通して外部に伸びており且つプッシュプル板４９と固定的に連結され
一側の前記密封板１３は反対側の前記密封チャンバ３７の中に向かい合ってスライドし、この時点で密封してロックし、プッシュプル板４９を引き上げてロックを解除する。
【００１６】
有益的には、前記密封板１３の中には引掛り溝５０が設けられ、左側の前記引掛り溝５０は下向きに開口し、右側の前記引掛り溝５０は上に開口し、前記密封板１３の中には同じ側の前記引掛り溝５０と同じ方向に開口した引掛りブロックチャンバ５１が設けられ、前記引掛りブロックチャンバ５１の中には引掛りブロック５２がスライドできるように設けられ、前記引掛りブロック５２と前記引掛りブロックチャンバ５１との間には引張りばね５３が固定的に連結され、左側の前記引き線４７が左側の前記引掛りブロック５２の上端に固定的に連結され、右側の前記引き線４７が右側の前記引掛りブロック５２の下端に固定的に連結され、
左側の前記引掛りブロック５２は右側の前記引掛り溝５０の中に引っかかり、右側の前記引掛りブロック５２は左側の前記引掛り溝５０の中に引っかかってロックする。
【００１７】
初期状態では、密封板１３は密封チャンバ３７の中に引込み、昇降板１４は昇降チャンバ２８の中に収縮しており、昇降ブロック２０は上限位置にあり、挟み板２３はレバーチャンバ２１の中に引っ込む。
【００１８】
包装するとき、包装袋１２の袋口の左右両端をそれぞれ左右両側の挟みチャンバ２４の中に伸び、前後端を折返チャンバ２５の中に伸びて接着ブロック６０の内側に貼り付け、つまみ１８を回転させ、回転軸１７によって揺りロッド１６を回転連動させ、コンロッド１９は昇降ブロック２０を連動させて下降させてレバー２２の上端を押し動かして両側に翻転させ、レバー２２の下端は挟み板２３を連動させて挟みチャンバ２４の中にスライドさせて包装袋１２の袋口の左右両端をきつく挟み、本体１１を連動させて互いに接近させて当接し、このとき、包装袋１２の前後両端は翻転ロッド２７によって折返チャンバ２５の中に折返されて折返チャンバ２５の内壁と接着されて密封され、プッシュプル板４９を中心に向かって押し動かし、プルロッド４３は密封板１３を連動させて異なる側の密封チャンバ３７の中に伸びて密封し、引掛りブロック５２が異なる側の引掛り溝５０の中にスライドしてロックされ、このとき、ラック５４が移動して歯車４０を回転連動させ、伝動軸４１によって駆動プーリ３５を回転連動させ、伝動ベルト３６によって被動プーリ３４を回転連動させてボルト３２を回転連動させ、ねじ山による連結によって昇降板１４を連動させて包装袋１２の内に下がらせ、乾燥チャンバ２９の中の乾燥剤を通して水分を吸収し、
開く時、プッシュプル板４９を引き上げてプルロッド４３を上昇連動させ、位置制限ブロック４５によって引き線４９を引っ張って同じ側の引掛りブロック５２を引き動かして引掛りブロックチャンバ５１の中に引っ込んでロックを解除し、プッシュプル板４９を両側に引いて開く。
【００１９】
本発明の有益な効果は：本発明は構造が簡単で、操作が便利で、本装置によって食品を貯蔵するとき、密封する同時に乾燥することができ、何度も開閉して密封することができ、同時に、包装袋を外すことができ、洗浄又は取替えができる。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020179933.tif 000003
【図２】
2020179933.tif 000004
【図３】
2020179933.tif 000005
【図４】
2020179933.tif 000006
【図５】
2020179933.tif 000007
【手続補正書】
【提出日】令和1年12月3日(2019.12.3)
【手続補正１】
【補正対象書類名】特許請求の範囲
【補正対象項目名】全文
【補正方法】変更
【補正の内容】
【特許請求の範囲】
【請求項１】
正面視で、食品用防湿袋であり、本体を含み、前記本体が左右の二つに区分され、前記本体の中には挟み装置が設けられ、前記挟み装置の内側には乾燥装置が設けられ、前記乾燥装置の上側には密封装置が設けられ、前記本体の下側には包装袋が設けられ、前記挟み装置は前記包装袋の上端の左右両側をきつく挟み、前記密封装置は前記包装袋の上側を密封し、前記乾燥装置は前記包装袋の内部を乾燥剤で乾燥し、前記密封装置の中の密封板が互いに近づくように移動することは前記乾燥装置の中の昇降板を連動させて前記包装袋の内に下降させることができ、前記昇降板の中には乾燥剤があり、前記挟み装置は前記本体の中に設けられる揺りロッドチャンバを含み、前記揺りロッドチャンバの中には揺りロッドが左右に対称的に設けられ、両側の前記揺りロッドのうち互いに離れている側の端面の下端には回転軸がそれぞれ固定的に連結され、一側の前記回転軸の一端は外部に延びており、且つつまみと固定的に連結され、両側の前記揺りロッドの間にはコンロッドがヒンジで連結され、前記コンロッドの下端には昇降ブロックがヒンジで連結され、前記揺りロッドチャンバの下壁の中の左右両側にはレバーチャンバが対称的に連通して設けられ、前記レバーチャンバの中にはレバーが回転できるように設けられ、前記レバーの下端には挟み板がヒンジで連結され、前記レバーチャンバの間には下に開口した挟みチャンバが連通して設けられ、左右両側の前記挟みチャンバの前後側にはそれぞれ下に開口した前後に対称的な折返チャンバが連通して設けられ、左右両側の前記折返チャンバは相対に開口しており、前記折返チャンバのうち前記挟みチャンバから離れている一側の内壁の中には回転ロッドチャンバが連通して設けられ、前記回転ロッドチャンバの中には翻転ロッドが翻転できるように設けられ、左右両側の前記翻転ロッドの間は回転できるように連結され、前記翻転ロッドのヒンジで連結されたところの内部端面には接着ブロックが固定的に設けられ、
前記包装袋の上端の左右両端は前記挟みチャンバの中に伸びて前記挟み板によってきつく挟むことができ、前記包装袋の前後両端は前記折返チャンバの中に伸びて前記接着ブロックに固定することができ、
前記乾燥装置には前記揺りロッドチャンバのうち中心に近接している一側壁の中に設けられている下に開口した昇降チャンバが含まれ、前記昇降板が前記昇降チャンバの中にスライドできるように設けられ、前記昇降板の中には乾燥チャンバが左右を貫通して設けられ、前記乾燥チャンバの中には濾過板が左右に対称的且つ固定的に設けられ、前記昇降板の中において前後両端には上に開口したねじ山チャンバが設けられ、前記ねじ山チャンバの中にはボルトがねじ山によって連結され、前記昇降チャンバの上側にはプーリチャンバが前後に対称的に設けられ、前記ボルトの上端は前記プーリチャンバの内に延びていて被動プーリと固定的に連結され、前記被動プーリのうち前記昇降チャンバから離れている一側には駆動プーリが設けられ、前記被動プーリと前記駆動プーリとの間には伝動ベルトが周設されていて、前記昇降板は前記包装袋まで下がり、前記乾燥チャンバの中の乾燥剤により乾燥を行い、
前記密封装置には前記昇降チャンバの上側に設けられ且つ相対に開口した密封チャンバが含まれ、前記密封チャンバのうち中心から離れている一側にはスライド板チャンバが連通して設けられ、左側の前記スライド板チャンバが前記密封チャンバのうち上側壁に近接している左壁の中に連通して設けられ、右側の前記スライド板チャンバが前記密封チャンバのうち下側壁に近接している右壁に連通して設けられ、前記密封板が前記スライド板チャンバの中にスライドできるように設けられ、且つ左右両側の前記密封板が上下にずれて設けられ、前記密封板の前後端面の中にはラックが対称的且つ固定的に設けられ、前記密封チャンバの前後壁には歯車チャンバが対称的に連通して設けられ、前記歯車チャンバの中には前記ラックと噛み合える歯車が設けられ、前記歯車の下端には伝動軸が固定的に連結され、前記伝動軸の下端が前記駆動プーリに固定的に連結され、前記密封板の中には上に開口したプルロッドチャンバが設けられ、前記プルロッドチャンバの中にはプルロッドがスライドできるように設けられ、前記プルロッドチャンバの一側内壁の中には位置制限チャンバが連通して設けられ、前記プルロッドの一端には前記位置制限チャンバの内壁とスライドできるように連結される位置制限ブロックが固定的に連結され、前記位置制限ブロックの上端と前記位置制限チャンバの上壁との間には復帰ばねが固定的に連結され、前記位置制限ブロックの下端には引き線が固定的に連結され、前記スライド板チャンバの上壁にはガイドスライドチャンバが連通して設けられ、前記プルロッドの上端は前記ガイドスライドチャンバを貫通して外部に伸びており且つプッシュプル板と固定的に連結さ、
一側の前記密封板は反対側の前記密封チャンバの中に向かい合ってスライドし、この時点で密封してロックし、プッシュプル板を引き上げてロックを解除し、
前記密封板の中には引掛り溝が設けられ、左側の前記引掛り溝は下向きに開口し、右側の前記引掛り溝は上に開口し、前記密封板の中には同じ側の前記引掛り溝と同じ方向に開口した引掛りブロックチャンバが設けられ、前記引掛りブロックチャンバの中には引掛りブロックがスライドできるように設けられ、前記引掛りブロックと前記引掛りブロックチャンバとの間には引張りばねが固定的に連結され、左側の前記引き線が左側の前記引掛りブロックの上端に固定的に連結され、右側の前記引き線が右側の前記引掛りブロックの下端に固定的に連結され、
左側の前記引掛りブロックは右側の前記引掛り溝の中に引っかかり、右側の前記引掛りブロックは左側の前記引掛り溝の中に引っかかってロックすることを特徴とする食品用防湿袋。
【手続補正２】
【補正対象書類名】明細書
【補正対象項目名】全文
【補正方法】変更
【補正の内容】
【発明の詳細な説明】
【技術分野】
【０００１】
本発明は食品包装技術分野を取り上げて、具体的には食品用防湿袋である。
【背景技術】
【０００２】
食品を包装した後、密封して乾燥剤を入れて乾燥を行い、しかし、開封後に袋を再封することは困難であり、さらに、乾燥剤の乾燥効果は理想的ではなく、長期放置の後また湿気にあたり、そのため、食品用防湿袋が実に必要とされており、本装置は二重層密封の方式を採用し、同時に、上封じ口に乾燥剤を入れ、バッグの中に水が漏れるとすぐに吸収できる。
【先行技術文献】
【特許文献】
【０００３】
【特許文献１】中国特許出願公開第１０５８８３１６６号明細書
【発明の概要】
【発明が解決しようとする課題】
【０００４】
本発明は食品用防湿袋を提供し、既存技術にある上記の欠点を解消することを目的とする。
【課題を解決するための手段】
【０００５】
本発明の食品用防湿袋は、本体を含み、前記本体が左右の二つに区分され、前記本体の中には挟み装置が設けられ、前記挟み装置の内側には乾燥装置が設けられ、前記乾燥装置の上側には密封装置が設けられ、前記本体の下側には包装袋が設けられ、前記挟み装置は前記包装袋の上端の左右両側をきつく挟み、前記密封装置は前記包装袋の上側を密封し、前記乾燥装置は前記包装袋の内部を乾燥剤で乾燥し、前記密封装置の中の密封板が互いに近づくように移動することは前記乾燥装置の中の昇降板を連動させて前記包装袋の内に下降させることができ、前記昇降板の中には乾燥剤があり、前記挟み装置は前記本体の中に設けられる揺りロッドチャンバを含み、前記揺りロッドチャンバの中には揺りロッドが左右に対称的に設けられ、両側の前記揺りロッドのうち互いに離れている側の端面の下端には回転軸がそれぞれ固定的に連結され、一側の前記回転軸の一端は外部に延びており、且つつまみと固定的に連結され、両側の前記揺りロッドの間にはコンロッドがヒンジで連結され、前記コンロッドの下端には昇降ブロックがヒンジで連結され、前記揺りロッドチャンバの下壁の中の左右両側にはレバーチャンバが対称的に連通して設けられ、前記レバーチャンバの中にはレバーが回転できるように設けられ、前記レバーの下端には挟み板がヒンジで連結され、前記レバーチャンバの間には下に開口した挟みチャンバが連通して設けられ、左右両側の前記挟みチャンバの前後側にはそれぞれ下に開口した前後に対称的な折返チャンバが連通して設けられ、左右両側の前記折返チャンバは相対に開口しており、前記折返チャンバのうち前記挟みチャンバから離れている一側の内壁の中には回転ロッドチャンバが連通して設けられ、前記回転ロッドチャンバの中には翻転ロッドが翻転できるように設けられ、左右両側の前記翻転ロッドの間は回転できるように連結され、前記翻転ロッドのヒンジで連結されたところの内部端面には接着ブロックが固定的に設けられ、
前記包装袋の上端の左右両端は前記挟みチャンバの中に伸びて前記挟み板によってきつく挟むことができ、前記包装袋の前後両端は前記折返チャンバの中に伸びて前記接着ブロックに固定することができる。
【０００６】
有益的には、前記乾燥装置には前記揺りロッドチャンバのうち中心に近接している一側壁の中に設けられている下に開口した昇降チャンバが含まれ、前記昇降板が前記昇降チャンバの中にスライドできるように設けられ、前記昇降板の中には乾燥チャンバが左右を貫通して設けられ、前記乾燥チャンバの中には濾過板が左右に対称的且つ固定的に設けられ、前記昇降板の中において前後両端には上に開口したねじ山チャンバが設けられ、前記ねじ山チャンバの中にはボルトがねじ山によって連結され、前記昇降チャンバの上側にはプーリチャンバが前後に対称的に設けられ、前記ボルトの上端は前記プーリチャンバの内に延びていて被動プーリと固定的に連結され、前記被動プーリのうち前記昇降チャンバから離れている一側には駆動プーリが設けられ、前記被動プーリと前記駆動プーリとの間には伝動ベルトが周設されていて、前記昇降板は前記包装袋まで下がり、前記乾燥チャンバの中の乾燥剤により乾燥を行う。
【０００７】
有益的には、前記密封装置には前記昇降チャンバの上側に設けられ且つ相対に開口した密封チャンバが含まれ、前記密封チャンバのうち中心から離れている一側にはスライド板チャンバが連通して設けられ、左側の前記スライド板チャンバが前記密封チャンバのうち上側壁に近接している左壁の中に連通して設けられ、右側の前記スライド板チャンバが前記密封チャンバのうち下側壁に近接している右壁に連通して設けられ、前記密封板が前記スライド板チャンバの中にスライドできるように設けられ、且つ左右両側の前記密封板が上下にずれて設けられ、前記密封板の前後端面の中にはラックが対称的且つ固定的に設けられ、前記密封チャンバの前後壁には歯車チャンバが対称的に連通して設けられ、前記歯車チャンバの中には前記ラックと噛み合える歯車が設けられ、前記歯車の下端には伝動軸が固定的に連結され、前記伝動軸の下端が前記駆動プーリに固定的に連結され、前記密封板の中には上に開口したプルロッドチャンバが設けられ、前記プルロッドチャンバの中にはプルロッドがスライドできるように設けられ、前記プルロッドチャンバの一側内壁の中には位置制限チャンバが連通して設けられ、前記プルロッドの一端には前記位置制限チャンバの内壁とスライドできるように連結される位置制限ブロックが固定的に連結され、前記位置制限ブロックの上端と前記位置制限チャンバの上壁との間には復帰ばねが固定的に連結され、前記位置制限ブロックの下端には引き線が固定的に連結され、前記スライド板チャンバの上壁にはガイドスライドチャンバが連通して設けられ、前記プルロッドの上端は前記ガイドスライドチャンバを貫通して外部に伸びており且つプッシュプル板と固定的に連結され、
一側の前記密封板は反対側の前記密封チャンバの中に向かい合ってスライドし、この時点で密封してロックし、プッシュプル板を引き上げてロックを解除する。
【０００８】
有益的には、前記密封板の中には引掛り溝が設けられ、左側の前記引掛り溝は下向きに開口し、右側の前記引掛り溝は上に開口し、前記密封板の中には同じ側の前記引掛り溝と同じ方向に開口した引掛りブロックチャンバが設けられ、前記引掛りブロックチャンバの中には引掛りブロックがスライドできるように設けられ、前記引掛りブロックと前記引掛りブロックチャンバとの間には引張りばねが固定的に連結され、左側の前記引き線が左側の前記引掛りブロックの上端に固定的に連結され、右側の前記引き線が右側の前記引掛りブロックの下端に固定的に連結され、
左側の前記引掛りブロックは右側の前記引掛り溝の中に引っかかり、右側の前記引掛りブロックは左側の前記引掛り溝の中に引っかかってロックする。
【発明の効果】
【０００９】
本発明の有益な効果は：本発明は構造が簡単で、操作が便利で、本装置によって食品を貯蔵するとき、密封する同時に乾燥することができ、何度も開閉して密封することができ、同時に、包装袋を外すことができ、洗浄又は取替えができる。
【図面の簡単な説明】
【００１０】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の食品用防湿袋の内部全体構成略図
【図２】図２は図１におけるＡの拡大略図
【図３】図３は図２におけるＢ−Ｂ方向からの構成略図
【図４】図４は図２におけるＣの拡大略図
【図５】図５は図１におけるＥ−Ｅ方向からの構成略図
【発明を実施するための形態】
【００１２】
下記に図１〜５を合わせて本発明を詳しく説明する。
【００１３】
図１〜５を参照し、本発明の実施例の食品用防湿袋は、本体１１を含み、前記本体１１が左右の二つに区分され、前記本体１１の中には挟み装置１０１が設けられ、前記挟み装置１０１の内側には乾燥装置１０２が設けられ、前記乾燥装置１０２の上側には密封装置１０３が設けられ、前記本体１１の下側には包装袋１２が設けられ、前記挟み装置１０１は前記包装袋１２の上端の左右両側をきつく挟み、前記密封装置１０３は前記包装袋１２の上側を密封し、前記乾燥装置１０２は前記包装袋１２の内部を乾燥剤で乾燥し、前記密封装置１０３の中の密封板１３が互いに近づくように移動することは前記乾燥装置１０２の中の昇降板１４を連動させて前記包装袋１２の内に下降させることができ、前記昇降板１４の中には乾燥剤があり、前記挟み装置１０１は前記本体１１の中に設けられる揺りロッドチャンバ１５を含み、前記揺りロッドチャンバ１５の中には揺りロッド１６が左右に対称的に設けられ、両側の前記揺りロッド１６のうち互いに離れている側の端面の下端には回転軸１７がそれぞれ固定的に連結され、一側の前記回転軸１７の一端は外部に延びており、且つつまみ１８と固定的に連結され、両側の前記揺りロッド１６の間にはコンロッド１９がヒンジで連結され、前記コンロッド１９の下端には昇降ブロック２０がヒンジで連結され、前記揺りロッドチャンバ１５の下壁の中の左右両側にはレバーチャンバ２１が対称的に連通して設けられ、前記レバーチャンバ２１の中にはレバー２２が回転できるように設けられ、前記レバー２２の下端には挟み板２３がヒンジで連結され、前記レバーチャンバ２１の間には下に開口した挟みチャンバ２４が連通して設けられ、左右両側の前記挟みチャンバ２４の前後側にはそれぞれ下に開口した前後に対称的な折返チャンバ２５が連通して設けられ、左右両側の前記折返チャンバ２５は相対に開口しており、前記折返チャンバ２５のうち前記挟みチャンバ２４から離れている一側の内壁の中には回転ロッドチャンバ２６が連通して設けられ、前記回転ロッドチャンバ２６の中には翻転ロッド２７が翻転できるように設けられ、左右両側の前記翻転ロッド２７の間は回転できるように連結され、前記翻転ロッド２７のヒンジで連結されたところの内部端面には接着ブロック６０が固定的に設けられ、
前記包装袋１２の上端の左右両端は前記挟みチャンバ２４の中に伸びて前記挟み板２３によってきつく挟むことができ、前記包装袋１２の前後両端は前記折返チャンバ２５の中に伸びて前記接着ブロック６０に固定することができる。
【００１４】
有益的には、前記乾燥装置１０２には前記揺りロッドチャンバ１５のうち中心に近接している一側壁の中に設けられている下に開口した昇降チャンバ２８が含まれ、前記昇降板１４が前記昇降チャンバ２８の中にスライドできるように設けられ、前記昇降板１４の中には乾燥チャンバ２９が左右を貫通して設けられ、前記乾燥チャンバ２９の中には濾過板３０が左右に対称的且つ固定的に設けられ、前記昇降板１４の中において前後両端には上に開口したねじ山チャンバ３１が設けられ、前記ねじ山チャンバ３１の中にはボルト３２がねじ山によって連結され、前記昇降チャンバ２８の上側にはプーリチャンバ３３が前後に対称的に設けられ、前記ボルト３２の上端は前記プーリチャンバ３３の内に延びていて被動プーリ３４と固定的に連結され、前記被動プーリ３４のうち前記昇降チャンバ２８から離れている一側には駆動プーリ３５が設けられ、前記被動プーリ３４と前記駆動プーリ３５との間には伝動ベルト３６が周設され、
前記昇降板１４は前記包装袋１２まで下がり、前記乾燥チャンバ２９の中の乾燥剤により乾燥を行う。
【００１５】
有益的には、前記密封装置１０３には前記昇降チャンバ２８の上側に設けられ且つ相対に開口した密封チャンバ３７が含まれ、前記密封チャンバ３７のうち中心から離れている一側にはスライド板チャンバ３８が連通して設けられ、左側の前記スライド板チャンバ３８が前記密封チャンバ３７のうち上側壁に近接している左壁の中に連通して設けられ、右側の前記スライド板チャンバ３８が前記密封チャンバ３７のうち下側壁に近接している右壁に連通して設けられ、前記密封板１３が前記スライド板チャンバ３８の中にスライドできるように設けられ、且つ左右両側の前記密封板１３が上下にずれて設けられ、前記密封板１３の前後端面の中にはラック５４が対称的且つ固定的に設けられ、前記密封チャンバ３７の前後壁には歯車チャンバ３９が対称的に連通して設けられ、前記歯車チャンバ３９の中には前記ラック３８と噛み合える歯車４０が設けられ、前記歯車４０の下端には伝動軸４１が固定的に連結され、前記伝動軸４１の下端が前記駆動プーリ３５に固定的に連結され、前記密封板１３の中には上に開口したプルロッドチャンバ４２が設けられ、前記プルロッドチャンバ４２の中にはプルロッド４３がスライドできるように設けられ、前記プルロッドチャンバ４２の一側内壁の中には位置制限チャンバ４４が連通して設けられ、前記プルロッド４３の一端には前記位置制限チャンバ４４の内壁とスライドできるように連結される位置制限ブロック４５が固定的に連結され、前記位置制限ブロック４５の上端と前記位置制限チャンバ４４の上壁との間には復帰ばね４６が固定的に連結され、前記位置制限ブロック４５の下端には引き線４７が固定的に連結され、前記スライド板チャンバ５４の上壁にはガイドスライドチャンバ４８が連通して設けられ、前記プルロッド４３の上端は前記ガイドスライドチャンバ４８を貫通して外部に伸びており且つプッシュプル板４９と固定的に連結され一側の前記密封板１３は反対側の前記密封チャンバ３７の中に向かい合ってスライドし、この時点で密封してロックし、プッシュプル板４９を引き上げてロックを解除する。
【００１６】
有益的には、前記密封板１３の中には引掛り溝５０が設けられ、左側の前記引掛り溝５０は下向きに開口し、右側の前記引掛り溝５０は上に開口し、前記密封板１３の中には同じ側の前記引掛り溝５０と同じ方向に開口した引掛りブロックチャンバ５１が設けられ、前記引掛りブロックチャンバ５１の中には引掛りブロック５２がスライドできるように設けられ、前記引掛りブロック５２と前記引掛りブロックチャンバ５１との間には引張りばね５３が固定的に連結され、左側の前記引き線４７が左側の前記引掛りブロック５２の上端に固定的に連結され、右側の前記引き線４７が右側の前記引掛りブロック５２の下端に固定的に連結され、
左側の前記引掛りブロック５２は右側の前記引掛り溝５０の中に引っかかり、右側の前記引掛りブロック５２は左側の前記引掛り溝５０の中に引っかかってロックする。
【００１７】
初期状態では、密封板１３は密封チャンバ３７の中に引込み、昇降板１４は昇降チャンバ２８の中に収縮しており、昇降ブロック２０は上限位置にあり、挟み板２３はレバーチャンバ２１の中に引っ込む。
【００１８】
包装するとき、包装袋１２の袋口の左右両端をそれぞれ左右両側の挟みチャンバ２４の中に伸び、前後端を折返チャンバ２５の中に伸びて接着ブロック６０の内側に貼り付け、つまみ１８を回転させ、回転軸１７によって揺りロッド１６を回転連動させ、コンロッド１９は昇降ブロック２０を連動させて下降させてレバー２２の上端を押し動かして両側に翻転させ、レバー２２の下端は挟み板２３を連動させて挟みチャンバ２４の中にスライドさせて包装袋１２の袋口の左右両端をきつく挟み、本体１１を連動させて互いに接近させて当接し、このとき、包装袋１２の前後両端は翻転ロッド２７によって折返チャンバ２５の中に折返されて折返チャンバ２５の内壁と接着されて密封され、プッシュプル板４９を中心に向かって押し動かし、プルロッド４３は密封板１３を連動させて異なる側の密封チャンバ３７の中に伸びて密封し、引掛りブロック５２が異なる側の引掛り溝５０の中にスライドしてロックされ、このとき、ラック５４が移動して歯車４０を回転連動させ、伝動軸４１によって駆動プーリ３５を回転連動させ、伝動ベルト３６によって被動プーリ３４を回転連動させてボルト３２を回転連動させ、ねじ山による連結によって昇降板１４を連動させて包装袋１２の内に下がらせ、乾燥チャンバ２９の中の乾燥剤を通して水分を吸収し、
開く時、プッシュプル板４９を引き上げてプルロッド４３を上昇連動させ、位置制限ブロック４５によって引き線４９を引っ張って同じ側の引掛りブロック５２を引き動かして引掛りブロックチャンバ５１の中に引っ込んでロックを解除し、プッシュプル板４９を両側に引いて開く。
【００１９】
本発明の有益な効果は：本発明は構造が簡単で、操作が便利で、本装置によって食品を貯蔵するとき、密封する同時に乾燥することができ、何度も開閉して密封することができ、同時に、包装袋を外すことができ、洗浄又は取替えができる。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。